(57)【要約】【課題】壁パネルの連結が容易で、しかも、安定した止水状態を確保することができる止水材を提供することを目的としている。【解決手段】両壁パネルの端縁部間に介装される板状の介装部と、介装部の短手方向の一端に設けられ連結部近傍で両壁パネルに水密状態に圧接される目地止水部と、前記介装部の両側面から張り出すように設けられ、介装部を前記端縁部間に挿入時に端縁部から加わる圧力によって弾性変形しつつ介装部とともに、端縁部間に挿入され、前記目地止水部が両壁パネルに水密に圧接された状態になった時に弾性復元して、両壁パネルの端縁部後縁に係止される弾性係止部とを備えることを特徴としている。【選択図】      図１
2005146793.tif 000002
【特許請求の範囲】
【請求項１】
２枚の壁パネルの端縁部を柱材の上下方向に設けられた嵌合溝内に嵌合させてなる壁パネルの連結部の、両壁パネルの端縁部間に介装される板状の介装部と、
介装部の短手方向の一端に設けられ連結部近傍で両壁パネルに水密状態に圧接される目地止水部と、
前記介装部の両側面から張り出すように設けられ、介装部を前記端縁部間に挿入時に端縁部から加わる圧力によって弾性変形しつつ介装部とともに、端縁部間に挿入され、前記目地止水部が両壁パネルに水密に圧接された状態になった時に弾性復元して、両壁パネルの端縁部後縁に係止される弾性係止部とを備えることを特徴とする止水材。
【請求項２】
少なくとも目地止水部が粘着性を有する樹脂で形成されている請求項１に記載の止水材。
【請求項３】
水によって除去可能な潤滑剤によって表面が覆われている請求項２に記載の止水材。
【発明の詳細な説明】
【技術分野】
【０００１】
本発明は、たとえば、浴室ユニットやシャワー室ユニット等の設備ユニットの壁パネルの連結部の止水に用いられる止水材に関する。
【背景技術】
【０００２】
浴室ユニットやシャワー室ユニット等の設備ユニットにおいては、複数の壁パネルによって壁面が構築されるようになっていて、各壁パネルは、床パン等の上に柱材を立設状態にしておき、連結される２枚の壁パネルの端縁部を柱材の上下方向に設けられた嵌合溝内に嵌合させるようにして連結されている。
また、この壁パネルの連結構造においては、壁パネルと壁パネルとの間に止水材を挿入することによって壁パネルと壁パネルとの連結部から壁裏にユニット室側で使用した水が入り込まないようにされる。
【０００３】
従来、上記のような連結構造には、変性シリコーン等の湿式シーリング材や、２枚の壁パネルの端縁部を柱材の上下方向に設けられた嵌合溝内に嵌合させた壁パネルの連結部の、両壁パネルの端縁部間に挿入される介装部と、介装部の短手方向の一端に設けられ連結部近傍で両壁パネルに水密状態に圧接される目地止水部とを備え、介装部が挿入によって厚み方向に弾性変形するとともに、その壁パネルの端縁部との摩擦抵抗によって抜け止めされるようになった乾式止水材が用いられている。
しかし、湿式シーリング材の場合、長期間使用していると、設備ユニットのドアの開け閉めによる振動によって、亀裂が生じたり、連結部から外れてしまう恐れがある。また、上記乾式止水材の場合、長期間使用していると、設備ユニットのドアの開け閉めによる振動によって、連結部から外れてしまう恐れがある。
【０００４】
そこで、図２および図３に示すような壁パネル１００、１００の連結構造が既に提案されている。
この連結構造は、図２に示すように、介装部２１０の先端から壁パネル１００の端縁部１１０に設けられた折曲がり部１１１に沿うように一方に折れ曲がって壁パネル１００の端縁部１１０の後縁に係止される係止部２２０を有する弾性樹脂材料からなる止水材２００を作製し、この止水材２００を、、目地止水部２３０が壁パネル１００の連結部近傍に係止され、端縁部１１０の後縁に係止された状態に予め一方の壁パネル１００に装着しておく。そして、まず、止水材２００が装着されていない他方の壁パネル１００の端縁部１１０を柱材３００の嵌合溝３１０に挿入する。つぎに、図３に示すように、止水材２００が装着された壁パネル１００の端縁部１１０を止水材２００の目地止水部２３０が他方の壁パネル１００の連結部近傍壁面に密着するまで嵌合溝３１０内に圧入するようになっている。
【０００５】
【特許文献１】特開平１１−１９００８４号公報
【発明の開示】
【発明が解決しようとする課題】
【０００６】
しかし、先に提案された上記連結構造の場合、係止部２２０が設けられているので、振動等によって止水材２００が外れてしまうという問題は解決できるのであるが、止水材２００が弾性樹脂材料から形成されているので、止水材２００を装着した端縁部１１０を嵌合溝３１０に圧入する際に摩擦抵抗が大きく作業性が非常に悪い。しかも、摩擦抵抗によって止水材２００がずれ動く恐れがある。
【０００７】
本発明は、上記事情に鑑みて、壁パネルの連結が容易で、しかも、安定した止水状態を確保することができる止水材を提供することを目的としている。
【課題を解決するための手段】
【０００８】
上記目的を達成するために、本発明にかかる止水材は、２枚の壁パネルの端縁部を柱材の上下方向に設けられた嵌合溝内に嵌合させてなる壁パネルの連結部の、両壁パネルの端縁部間に介装される板状の介装部と、介装部の短手方向の一端に設けられ連結部近傍で両壁パネルに水密状態に圧接される目地止水部と、前記介装部の両側面から張り出すように設けられ、介装部を前記端縁部間に挿入時に端縁部から加わる圧力によって弾性変形しつつ介装部とともに、端縁部間に挿入され、前記目地止水部が両壁パネルに水密に圧接された状態になった時に弾性復元して、両壁パネルの端縁部後縁に係止される弾性係止部とを備えることを特徴としている。
【０００９】
本発明においては、少なくとも目地止水部が粘着性を有する樹脂で形成されていることが好ましく、さらに、水によって除去可能な潤滑剤によって表面が覆われていることがより好ましい。
【００１０】
本発明において、粘着性を有する樹脂としては、特に限定されないが、たとえば、アクリル系樹脂やシリコーン系樹脂が挙げられる。
また、水によって除去可能な潤滑剤としては、特に限定されないが、金属石ケンの粉、シリコーンパウダー等が挙げられる。
【発明の効果】
【００１１】
本発明にかかる止水材は、以上のようになっているので、まず、２つの壁パネルの端縁部を柱材の嵌合溝に嵌合させたのち、止水材をその目地止水部が壁パネルの連結部近傍に密着するまで、介装部を２つの壁パネルの端縁部間に圧入すると、弾性係止部が弾性復元して両壁パネルの端縁部後縁に係止される。したがって、長期間使用しても、振動等によってはずれたりすることがなく、安定した止水状態を確保することができる。しかも、両壁パネルは、まず、止水材が無い状態で嵌合溝に端縁部が嵌合されるので、大きな力を加えなくても容易に嵌合でき、作業性がよい。
【００１２】
また、目地止水部を粘着性を有する樹脂で形成しておけば、装着後、目地止水部が壁パネルの壁面により密着してより確実に水密に密着して止水できる。
さらに、水によって除去可能な潤滑剤によって表面を覆っておけば、弾性係止部をスムーズに連結部の端縁部間に挿入することができるとともに、装着後は、浴室等の水分に曝される目地止水部の潤滑剤は、水気によって流れ落ち、目地止水部が樹脂の粘着性によって壁パネルに粘着する。したがって、より確実に水密に密着して止水できる。
【発明を実施するための最良の形態】
【００１３】
以下に、本発明を、その実施の形態をあらわす図面を参照しつつ詳しく説明する。
図１は、本発明にかかる止水材の１つの実施の形態をあらわしている。
【００１４】
図１に示すように、この止水材１は、２枚の壁パネル２、２の端縁部２１を柱材３の上下方向（図では横断面しかあらわれていない）に設けられた嵌合溝３１内に嵌合させてなる壁パネル２、２の端縁部２１から壁裏への漏水を防止するようになっていて、介装部１１と、目地止水部１２と、弾性係止部１３と、中間止水部１４とを備えている。
すなわち、介装部１１は、ＡＢＳ樹脂等の樹脂で形成されていて、長手方向が端縁部２１の上下方向の長さと略同じ長さで、短手方向が端縁部２１の奥行きより長い長方形をした板状をしている。
【００１５】
目地止水部１２は、粘着性および弾性を有し、介装部１１を構成する樹脂に対して相溶性を備えたアクリル系樹脂等によって介装部１１の１方の長辺に沿って一体形成されており、端縁部２１近傍の両壁パネル２間に跨がって密着できる幅に形成されている。
弾性係止部１３は、介装部１１の短手方向の他端部近傍で長手方向の全幅にわたって介装部１１の両側面から張り出すように目地止水材１と同じ材料で一体に形成されていて、介装部１１を端縁部２１間に挿入時に端縁部２１から加わる圧力によって弾性変形しつつ介装部１１とともに端縁部２１間に挿入され、目地止水部１２が両壁パネル２に水密状態に圧接されると、弾性復元して、両壁パネル２の端縁部後縁２１ａに係止されるようになっている。
【００１６】
中間止水部１４は、目地止水部１２と弾性係止部１３との中間位置で長手方向の全幅にわたって介装部１１の両側面から張り出すように目地止水材と同じ材料で介装部１１に一体に形成されていて、介装部１１を端縁部２１間に挿入時に端縁部２１から加わる圧力によって弾性変形しつつ介装部１１とともに、端縁部２１間に挿入され、両端縁部２１の中間位置に水密に密着するようになっている。
また、この止水材１は、その表面全体が水によって除去可能な潤滑剤によって覆われている。
【００１７】
この止水材１は、以上のように、両壁パネル２の端縁部２１を柱材３の嵌合溝３１に嵌合させたのち、端縁部２１間に介装部１１を挿入するようになっているので、壁パネル２の連結の作業性に優れている。
しかも、弾性係止部１３を備え、一旦止水材１を装着すると、弾性係止部１３が両壁パネル２の端縁部２１に係止され、壁パネル２に戸の開け閉め等によって振動が加わったとしても止水材１が外れて止水性が損なわれたりすることがない。
【００１８】
また、その表面全体が水によって除去可能な潤滑剤によって覆われているので、弾性係止部１３および中間止水部１４の端縁部２１間への挿入がスムーズで作業性に優れている。
さらに、潤滑剤が水によって除去可能であるとともに、目地止水材１が粘着性樹脂で形成されているので、装着後、浴室等の水分に曝される目地止水部１２の潤滑剤は、水気によって流れ落ち、目地止水材１が直接壁パネル２に密着され、目地止水材１の粘着性によってより確実に水密に密着して止水できる。
【００１９】
また、中間止水部１４を備えているので、万一目地止水部１２の水密性が損なわれた場合でも、この中間止水部１４によって、浴室内等から壁裏への漏水が防止できる。
【００２０】
本発明にかかる止水材は、上記の実施の形態に限定されない。たとえば、上記の実施の形態では、中間止水部１４が設けられていたが、中間止水部はなくても構わない。
また、上記の実施の形態では、弾性係止部１３が介装部１１の長手方向全幅にわたって設けられていたが、間欠的に設けるようにしても構わない。
【図面の簡単な説明】
【００２１】
【図１】本発明にかかる止水材の１つの実施の形態をあらわす断面図である。
【図２】公知の壁パネルの連結構造をあらわし、その連結前の状態の断面図である。
【図３】図２の連結構造の連結状態の斜視図である。
【符号の説明】
【００２２】
１  止水材
１１  介装部
１２  目地止水部
１３  弾性係止部
２  壁パネル
２１  端縁部
２１ａ  端縁部後縁
３  柱材
３１  嵌合溝
【図１】
2005146793.tif 000003
【図２】
2005146793.tif 000004
【図３】
2005146793.tif 000005